(57)【要約】【課題】キーなどを配置できる部分の面積が大きく、且つ閉じたときにヒンジが露出しない端末装置を提供する。【解決手段】端末装置１０は、第１の筺体１と、第２の筺体２と、ヒンジ３とを有する。また、ヒンジ３は、回転軸５と、連結アーム４とを有する。第１の筺体１には連結アーム４を収納する溝部４が設けられており、第２の筺体２には連結アーム４のガイド部４ｃに接続して第２の筺体２をスライド可能にするスライド溝２１が設けられている。端末装置１０を閉じた状態のときには連結アーム４は第２の筺体２に隠れる。第２の筺体２をスライドさせると溝部１１に収納された連結アーム４が露出し、回転軸５を回転中心として第２の筺体２を回転させることが可能になる。【選択図】図２
2012182771.tif 000002
【特許請求の範囲】
【請求項１】
回転軸に回転可能に支持された連結アームと、
一方の面側の端部に前記連結アームを収納する溝部が設けられた第１の筺体と、
前記第１の筺体の前記一方の面に対向する面側にスライドレールを備え、前記スライドレールに前記連結アームの先端部がスライド可能に接続される第２の筺体と
を有することを特徴とする端末装置。
【請求項２】
前記第１の筺体と前記第２の筺体とを重ね合わせたときに前記溝部が前記第２の筺体に隠れ、前記第２の筺体を前記スライドレールの延びる方向にスライドさせると前記溝部が露出して、前記第２の筺体が前記回転軸を中心に回転可能となることを特徴とする請求項１に記載の端末装置。
【請求項３】
前記第２の筺体は、少なくとも前記回転軸の中心から第１の筺体の端部側の外側面までの距離の２倍以上スライド可能であることを特徴とする請求項２に記載の端末装置。
【請求項４】
更に、前記連結アームに回転力を付与するばねが設けられていることを特徴とする請求項２又は３に記載の端末装置。
【請求項５】
回転軸に回転可能に支持された連結アームと、
一方の面側の端部に前記連結アームを収納する溝部が設けられた第１の筺体と、
前記連結アームの先端部が接続された第２の筺体とを有し、
前記連結アームは前記回転軸に接続される基部と、前記基部から導出する導出部と、前記導出部から前記第２の筺体に向けて延びるアーム部とを有し、
前記第１の筐体の前記端部側の外側面が、前記回転軸を中心とし、該中心から前記連結アームの前記導出部と前記アーム部との接続部までを半径とする円の内側に位置し、前記第２の筺体が前記円の外側に位置することを特徴とする端末装置。
【発明の詳細な説明】
【技術分野】
【０００１】
本発明は、折り畳み式の端末装置に関する。
【背景技術】
【０００２】
近年、携帯電話やＰＤＡ（Personal Digital Assistant）等の携帯型端末装置が広く使用されるようになった。これらの端末装置には、キーボードを有する筺体とディスプレイを有する筺体とをヒンジで接続して開閉自在とした折り畳み式（クラムシェルタイプ）のものも多い。
【先行技術文献】
【特許文献】
【０００３】
【特許文献１】特開２０００−１２９９９２号公報
【特許文献２】特開２００５−２０８１４３号公報
【特許文献３】特開２００１−４４６５９号公報
【発明の概要】
【発明が解決しようとする課題】
【０００４】
キーなどを配置できる部分の面積が大きく、且つ閉じたときにヒンジが露出しない端末装置を提供することを目的とする。
【課題を解決するための手段】
【０００５】
開示の技術の一観点によれば、回転軸に回転可能に支持された連結アームと、一方の面側の端部に前記連結アームを収納する溝部が設けられた第１の筺体と、前記第１の筺体の前記一方の面に対向する面側にスライドレールを備え、前記スライドレールに前記連結アームの先端部がスライド可能に接続される第２の筺体とを有する端末装置が提供される。      
【０００６】
開示の技術の他の一観点によれば、回転軸に回転可能に支持された連結アームと、一方の面側の端部に前記連結アームを収納する溝部が設けられた第１の筺体と、前記連結アームの先端部が接続された第２の筺体とを有し、前記連結アームは前記回転軸に接続される基部と、前記基部から導出する導出部と、前記導出部から前記第２の筺体に向けて延びるアーム部とを有し、前記第１の筐体の前記端部側の外側面が、前記回転軸を中心とし、該中心から前記連結アームの前記導出部と前記アーム部との接続部までを半径とする円の内側に位置し、前記第２の筺体が前記円の外側に位置する端末装置が提供される。
【発明の効果】
【０００７】
上記観点の端末装置によれば、第１の筺体に設けられた溝部内に連結アームが収納されるので、キーなどを配置する部分の面積を大きくとることができる。また、第１の筺体の一方の面上に第２の筺体を重ね合わせると連結アームが隠れ、デザイン的に優れている。
【図面の簡単な説明】
【０００８】
【図１】図１は、第１の実施形態に係る端末装置の外観図である。
【図２】図２は、第１の実施形態に係る端末装置の分解図である。
【図３】図３（ａ）〜（ｃ）は、ヒンジと第２の筺体との接続部を拡大して示す模式的断面図である。
【図４】図４（ａ）〜（ｃ）は、端末装置を開くときの動作を説明する斜視図である。
【図５】図５は、第２の実施形態に係る端末装置を例示した斜視図である。
【図６】図６（ａ），（ｂ）は、端末装置の側部を切断して連結アームとスライド溝との位置関係を説明する模式図である。
【図７】図７は、第３の実施形態に係る端末装置の分解図である。
【図８】図８（ａ）〜（ｃ）は、第３の実施形態に係る端末装置の先端部及び後端部の模式的断面図である。
【図９】図９は、第４の実施形態に係る端末装置のヒンジ部分の透視図である。
【図１０】図１０は、第４の実施形態に係る端末装置の分解図である。
【図１１】図１１は、第４の実施形態に係る端末装置の後端部の断面図である。
【図１２】図１２（ａ），（ｂ）は、ロックアームの動作を説明する図である。
【図１３】図１３は、第４の実施形態に係る端末装置の開いた状態の断面図である。
【発明を実施するための形態】
【０００９】
一般的な折り畳み式端末装置では、キーボードが配置された筺体の端部の上にヒンジを配置している。このため、ヒンジの分だけキーなどを配置する領域が狭くなり、配置できるキーの数が限定されてしまう。また、端末装置を閉じた状態でヒンジが露出していると、デザインの観点から好ましくない。以下、実施形態について説明する。
【００１０】
（第１の実施形態）
図１は第１の実施形態に係る端末装置の外観図、図２は同じくその端末装置の分解図である。なお、本実施形態では、端末装置が携帯電話の場合について説明しているが、携帯電話以外の装置、例えば折り畳み式のＰＤＡに適用することもできる。
【００１１】
本実施形態に係る端末装置１０は、図１，図２のように、ほぼ直方体形状の第１の筺体１及び第２の筺体２と、第１の筺体１の長手方向の端部に配置されて第２の筺体２を回転可能に連結するヒンジ３とを有する。以下、説明の便宜上、筺体１，２の長手方向においてヒンジ３が配置された側を後端側、その反対側を先端側という。
【００１２】
第１の筺体１にはテンキー及びその他の入力デバイス１ａが設けられており、第２の筺体２には液晶パネル等の表示デバイス２ａが設けられている。図１のように端末装置１０を閉じたときには、第１の筺体１の入力デバイス１ａが設けられた面と、第２の筺体２の表示デバイス２ａが設けられた面とが対向する。
【００１３】
以下、第１の筺体１の入力デバイス１ａが設けられた面を入力デバイス設置面と呼び、第２の筺体２の表示デバイス２ａが設けられた面を表示デバイス設置面と呼ぶ。
【００１４】
ヒンジ３は、図２のように、棒状の回転軸５と、回転軸５の中央部に配置されて回転軸５を回転可能に支持する円筒状の軸受け部５ａと、回転軸５の両端に固定されて第２の筺体２に接続される連結アーム４とを有する。連結アーム４は、回転軸５に固定される基部４ａと、第２の筺体２に接続される矩形板状のガイド部４ｃと、基部４ａとガイド部４ｃとの間を連結するアーム部４ｂとを有する。アーム部４ｂは回転軸５を内側とする湾曲した形状を有している。
【００１５】
第１の筺体１の後端側には、回転軸５及び軸受け部５ａを収納するスペース１２と、連結アーム４を収納する溝部１１とが設けられており、端末装置１０を閉じた状態でヒンジ３が見えないようにしている。
【００１６】
図３（ａ）〜（ｃ）は、ヒンジ４と第２の筺体２との接続部を拡大して示す模式的断面図である。図３（ａ）は端末装置１０を閉じた状態、図３（ｂ）は第２の筺体２をスライドさせた状態、図３（ｃ）は端末装置１０を開いた状態を表している。
【００１７】
図３（ａ）のように、第２の筺体２の表示デバイス設置面の後端側であって幅方向の両側部には、筺体２の長手方向に延びるスライド溝２１が設けられている。このスライド溝２１に連結アーム４のガイド部４ｃが係合した状態で、第２の筺体２は先端側（図３中矢印Ａで示す方向）に向けてスライドする。なお、スライド溝２１は、スライドレールの一例である。
【００１８】
図３（ｂ）は、スライド溝２１の後端がガイド部４ｃに当接するまで第２の筺体２をスライドさせた状態を表している。この図３（ｂ）に示す位置まで第２の筺体２をスライドさせると、溝部１１に収納されている連結アーム４が露出する。回転軸５の中心から第１の筺体１ａの外側面までの距離をＤ1とすると、第２の筺体２のスライド長Ｄ2は、２Ｄ1よりも若干大きく（Ｄ2≧２Ｄ1）設定されている。このため、第２の筺体２を回転軸５に対し回転させると、第２の筺体２の後端は図３（ｂ）中に破線で示す軌跡を描いて、すなわち開く途中に第１の筺体１の後端部と第２の筺体２の後端部とが接触することなく、図３（ｃ）に例示する位置まで移動する。
【００１９】
以下、本実施形態の端末装置１０を開くときの動作について、図３（ａ）〜（ｃ）の断面図及び図４（ａ）〜（ｃ）の斜視図を参照して説明する。
【００２０】
図４（ａ）のように端末装置１０を閉じた状態では第１の筺体１の上に第２の筺体２が重なり、図３（ａ）のように第１の筺体１の後端面と第２の筺体２の後端面とはほぼ同一平面上にある。この状態では、第２の筺体２の先端側を持ち上げようとしても、第１の筺体１の後端部と第２の筺体２の後端部（図３（ａ）中に破線円で示す部分）とが当接して、第２の筺体２の先端側を持ち上げることができない。すなわち、図４（ａ）の状態では、端末装置１０を開くことができない。
【００２１】
端末装置１０を開くときには、図３（ｂ），図４（ｂ）のように、スライド溝２１の後端がガイド部４ｃに当接するまで第２の筺体２をスライドさせる。これにより、図３（ｂ）のように第１の筺体１の後端部と第２の筺体２の後端部との距離がＤ2だけ離れる。このように第２の筺体２をスライドさせた後、第２の筺体２の先端側を持ち上げると、第２の筺体２はヒンジ３の回転軸５を回転中心として回転する。すなわち、図３（ｃ），図４（ｃ）のように、端末装置１０を開くことができる。
【００２２】
端末装置１０を開いた状態では、入力デバイス１ａを操作したり、表示デバイス２ａに表示された文字や画像を見ることができる。
【００２３】
上述したように、本実施形態では、第１の筐体１内にヒンジ３を収納しており、端末装置１０を開いた状態でもヒンジ３のうち露出する部分は連結アーム４のみである。このため、第１の筺体１の入力デバイス設置面の有効面積が大きく、例えば従来よりも多くの入力デバイスを設置することができる。これにより、携帯端末の操作性が向上するという効果を奏する。
【００２４】
また、本実施形態では、図４（ａ）のように端末装置１０を閉じた状態ではヒンジ３が露出せず、デザイン的に優れている。
【００２５】
更に、本実施形態の端末装置１０は、第２の筺体２をスライドさせてから開くので、開く途中に第１の筺体１の後端部と第２の筺体２の後端部とが接触することがなく、図３（ｃ），図４（ｃ）のように第２の筺体２の開き角（回転角）が大きい。これにより、良好な操作性が得られる。
【００２６】
（第２の実施形態）
図５は、第２の実施形態に係る端末装置を例示した斜視図である。なお、図５において、図１，図２と同一物には同一符号を付している。
【００２７】
第１の実施形態の端末装置１０では、入力デバイス１ａが設けられた第１の筐体１内にヒンジ３を収納し、表示デバイス２ａが設けられた第２の筺体２にスライド溝２１を設けている（図１，図２参照）。
【００２８】
これに対し、本実施形態に係る端末装置１０ａでは、表示デバイス２ａが設けられた第２の筺体２内にヒンジ２３を収納し、入力デバイス１ａが設けられた第１の筐体１にスライド溝１７を設けている。
【００２９】
ヒンジ２３は、第１の実施形態と同様に（図２参照）、回転軸５と、軸受け部５ａと、連結アーム４とを有する。そして、連結アーム４の先端のガイド部４ｃが第１の筺体１のスライド溝１７に係合し、第２の筺体２をスライド溝１７の長手方向にスライド可能としている。
【００３０】
図６（ａ），（ｂ）は端末装置１０ａの側部を切断して連結アーム４とスライド溝１７との位置関係を説明する模式図である。
【００３１】
本実施形態の端末装置１０ａは、図６（ａ），（ｂ）に示すように、ガイド部４ｃがスライド溝１７の後端部に当接するまで、第２の筺体２を後端側（図６（ａ）に矢印Ａで示す方向）にスライドさせる。これにより、第２の筺体２の後端部の位置がずれて、第２の筺体２を回転させるときに第２の筺体２の後端部が第１の筺体１の後端部に当接することが回避される。その結果、第２の筺体２をヒンジ２３の回転軸５を中心に回転させて、図５のように端末装置１０ａを大きく開くことができる。
【００３２】
本実施形態においては、第２の筺体２内にヒンジ２３を収納している。そして、第１の筐体１にはスライド溝１７を設けているものの、スライド溝１７間のスペースに入力キーなどのデバイスを配置することができる。これにより、例えば従来よりも多くの入力デバイスを設置でき、端末装置の操作性が向上するという効果を奏する。
【００３３】
また、本実施形態においても、端末装置１０ａを閉じた状態ではヒンジ２３が露出せず、デザイン的に優れている。
【００３４】
更に、本実施形態の端末装置１０ａは、第２の筺体２をスライドさせてから開くので、開く途中に第１の筺体１の後端部と第２の筺体２の後端部とが接触することがなく、第２の筺体２の開き角（回転角）が大きい。これにより、良好な操作性が得られる。
【００３５】
（第３の実施形態）
図７は、第３の実施形態に係る端末装置の分解図である。また、図８（ａ）〜（ｃ）は、同じくその端末装置の先端部及び後端部の模式的断面図である。図７，図８（ａ）〜（ｃ）において、図１，図２と同一物には同一符号を付して、その詳細な説明は省略する。
【００３６】
本実施形態においても、端末装置２０は、入力デバイス１ａが設けられた第１の筺体１と、表示デバイス２ａが設けられた第２の筺体２と、第１の筺体１と第２の筺体２とを連結するヒンジ３とを有している。但し、ヒンジ３の回転軸５の両側部にはそれぞれねじりコイルばね６が装着されている。このねじりコイルばね６は、その一端側が第１の筺体１に係止され、他端側が連結アーム４に係止されて、第２の筺体２が開く方向に回転力を付与する。
【００３７】
また、本実施形態では、図８（ａ）のように、第２の筺体２のスライド溝２１内に圧縮コイルばね７が配置されている。この圧縮コイルばね７は、その一端側がガイド部４ｃの端面に当接し、他端側がスライド溝２１の端面に当接して、第２の筺体２を先端側にスライドさせる方向に付勢する。
【００３８】
更に、図７のように、第２の筺体２には、先端面に固定されて表示デバイス設置面に突出するＬ字状のロック爪２４が設けられている。また、第１の筺体１のロック爪２４に整合する位置には、ロックボール１６ａ及び係止部材１５が配置された溝１３が設けられている。
【００３９】
ロックボール１６ａは金属又は硬質の樹脂等により形成されており、溝１３の底部に設けられた孔１４内に、ロックボール１６ａを上方に向けて付勢する圧縮コイルばね１６ｂとともに収納されている。孔１４の上端部はロックボール１６ａの球径よりも若干小さく設定されており、ロックボール１６ａはその一部分のみが孔１４の上に突出する。
【００４０】
係止部材１５は溝１３内に固定されており、その上面は第１の筺体１の入力デバイス設置面と同じ高さに位置している。そして、係止部材１５の上部はロックボール１６ａ側に若干突出し、その突出した部分には下向きの傾斜面１５ａが設けられている。
【００４１】
一方、第２の筺体２に設けられたロック爪２４のロックボール１６ａに整合する位置には、ロックボール１６ａの曲面に対応する曲面の凹部２４ｂが設けられている。また、ロック爪２４の係止部材１５に整合する位置には、係止部材１５の傾斜面１５ａに接触する上向きの傾斜面２４ａが設けられている。なお、上述のロックボール１６ａ、圧縮コイルばね１６ｂ、係止部材１５及びロック爪２４は、ロック機構の一例である。
【００４２】
以下、本実施形態の端末装置２０を開くときの動作について、図８（ａ）〜（ｃ）を参照して説明する。
【００４３】
端末装置２０を閉じた状態では、図８（ａ）のように、ロック爪２４の凹部２４ｂにロックボール１６ａが嵌合し、ロック爪２４の傾斜面２４ａが係止部材１５の傾斜面１５ａに係合している。
【００４４】
スライド溝２１内に配置された圧縮コイルばね７により第２の筺体２には先端側にスライドしようとする付勢力が付与されている。しかし、この付勢力はロック爪２４の凹部２４ｂとロックボール１６ａとの嵌合（ロック）を解除させるのに必要な力よりも小さく、第２の筺体２の先端側へのスライドが阻止される。
【００４５】
また、ねじりコイルばね６により第２の筺体２を回転させようとする力が付与されているが、ロック爪２４が係止部材１５に係止されて上方への移動ができないようになっているため、第２の筺体２の回転も阻止される。なお、係止部材１５がなくても、端末装置２０を閉じた状態で第２の筺体２を回転させようとすると第１の筺体１の後端部と第２の筺体２の後端部とが当接するため、第２の筺体２を回転させることはできない。
【００４６】
端末装置２０を開くときには、ユーザが第２の筺体２を先端側に若干スライドさせる。第２の筺体２をある程度強い力でスライドさせると、ロック爪２４の移動によりロックボール１６ａは下方に押圧され、ロック爪２４の凹部２４ｂとロックボール１６ａとの嵌合（ロック）が解除される。そして、ロック爪２４の凹部２４ｂとロックボール１６ａとの嵌合が解除されると、図８（ｂ）のように圧縮コイルばね７が伸長を開始して、スライド溝２１の後端がガイド部４ｃに当接するまで第２の筺体２が先端側に移動する。
【００４７】
また、第２の筺体２の移動により係止部材１５によるロック爪２４の係止が外れると、ねじりコイルばね６の回転力により第２の筺体２が回転を開始する。これにより、図８（ｃ）のように、端末装置２０が開いた状態となる。
【００４８】
なお、端末装置２０を閉じるときには、第２の筺体２を逆方向に回転させて第１の筺体１に重ね合わせた後、ロックボール１６ａがロック爪２４の凹部２４ｂに嵌合するまで第２の筺体２を後端側にスライドさせればよい。
【００４９】
本実施形態においても、第１の実施形態と同様に、第１の筐体１内にヒンジ３を収納している。そして、端末装置２０を開いた状態でも、ヒンジ３のうち露出する部分は連結アーム４のみである。このため、第１の筺体１の入力デバイス設置面の有効面積が大きく、例えば従来よりも多くの入力デバイスを設置することができる。これにより、携帯端末の操作性が向上するという効果を奏する。
【００５０】
また、本実施形態においても、端末装置２０を閉じた状態ではヒンジ３が露出せず、デザイン的に優れている。更に、本実施形態の端末装置２０は、第２の筺体２をスライドさせてから開くので、第２の筺体２の開き角（回転角）が大きく、良好な操作性が得られる。更にまた、本実施形態においては、第２の筺体２を若干スライドさせるだけで、第２の筺体２が自動的にスライドを開始して更に回転する。このため、端末装置２０を容易に且つ素早く開くことができる。
【００５１】
なお、第２の実施形態で説明したように、ヒンジ３を第２の筺体２内に収納し、第１の筺体１にスライド溝２１を設けてもよい。
【００５２】
（第４の実施形態）
図９は第４の実施形態に係る端末装置のヒンジ部分の透視図、図１０は同じくその端末装置の分解図である。
【００５３】
本実施形態に係る端末装置３０は、入力デバイス３１ａが設けられた第１の筺体３１と、表示デバイス３２ａが設けられた第２の筺体３２と、それらの第１の筺体３１と第２の筺体３２との間を連結するヒンジ３３とを有している。
【００５４】
図１０のように、ヒンジ３３は、棒状の回転軸３５と、回転軸３５の中央部に配置されて回転軸３５を回転可能に支持する円筒状の軸受け部３５ａと、回転軸３５の両端に固定されて第２の筺体３２に接続される連結アーム３４とを有する。
【００５５】
ヒンジ３３の回転軸３５の両端部にはそれぞれねじりコイルばね３６が装着されている。このねじりコイルばね３６は、その一端側が第１の筺体３１に係止され、他端側が連結アーム３４に係止されて、第２の筺体３２が開く方向に回転力を付与する。
【００５６】
第１の筺体３１の後端側には、回転軸３５、軸受け部３５ａ及びねじりコイルばね３６を収納するスペース４２と、連結アーム３４を収納する溝部４１とが設けられており、端末装置３０を閉じた状態でヒンジ３３が見えないようにしている。
【００５７】
また、第１の筺体３１の後端側には、ロックアーム３７を収納するスペース４３が設けられている。ロックアーム３７はＬ字状の板状部材であり、その一端側は第１の筺体３１の側面に露出してロック解除ボタン３７ｃとなっている。そして、ロックアーム３７の他端側は、軸受け部３５ａに設けられた開口部３５ｃを介して回転軸３５を係止する係止片３７ａとなっている。このロックアーム３７は、その屈曲部とロック解除ボタン３７ｃとの間の支点３７ｂを中心に所定の角度だけ回動する。スペース４３には、ロックアーム３７の他端側を回転軸３５に向けて付勢する圧縮コイルばね３８が配置される。なお、ロックアーム３７は、ロック機構の一例である。
【００５８】
図１１は、端末装置３０の後端部の断面図である。この図１１のように、第１の筺体１の外側面（後端側の面）は、回転軸３５を中心とし、この中心から後述する連絡アーム４の導出部３４ｂとアーム部３４ｃとの接続までを半径とする円（図１１中に破線で表した半径Ｒの円）の内側に位置している。
【００５９】
連結アーム３４は、回転軸３５に固定される円柱状の基部３４ａと、第２の筺体３２に接続される接続部３４ｄと、基部３４ａと接続部３４ｄとの間を連絡する導出部３４ｂ及びアーム部３４ｃとを有している。導出部３４ｂは、端末装置３０を閉じた状態のときに第１の筺体３１の底面近傍に配置され、アーム部３４ｃは導出部３４ｂの先端と接続部３４ｄとの間を連絡する。
【００６０】
アーム部３４ｃ、接続部３４ｄ及び第２の筺体３２は、図１１に破線で表した半径Ｒの円の外側に配置されている。これにより、回転軸３５を中心として第２の筺体３２を回転させたときに、アーム部３４ｃ、接続部３４ｄ及び第２の筺体３２が第１の筺体３１に接触することが回避される。その結果、連結アーム３４の導出部３４ｂが溝部４１の端部に当接するまで、第２の筺体３２を回転させることができる。
【００６１】
図１２（ａ），（ｂ）は、ロックアーム３７の動作を説明する図である。なお、図１２（ａ），（ｂ）において、左側の図はロックアーム３７を上方から見たときの図、右側の図はロックアーム３７と回転軸３５とが接触する部分における断面図である。
【００６２】
図１２（ａ）のように、回転軸３５の長手方向中央部には切り欠き３５ｃが設けられている。端末装置３０を閉じた状態のときには、圧縮コイルばね３８によりロックアーム３７が押圧されて、係止部３７ａが切り欠き３５ｃ内に進入している。このとき、回転軸３２にはねじりコイルばね３６により回転力が付与されているが、係止部３７ａの切り欠き３５ｃ内への進入により、回転軸３５の回転が阻止される。
【００６３】
図１２（ｂ）のようにロック解除ボタン３７ｃを後端側（図１２（ｂ）中に矢印Ｈで示す方向）に押すと、ロックアーム３７は支点３７ｂを中心に回動して、係止部３７ａが回転軸３５の切り欠き３５ｃから外れる。そうすると、ねじりコイルばね３６の回転力により、第２の筺体３２が回転軸３５を中心に回転する。この回転は、図１３のように、連結アーム３４の導出部３４ｂが溝部４１の端部に当接したところで停止する。このようにして、端末装置３０を開くことができる。
【００６４】
本実施形態においても、第１の筺体３１内にヒンジ３３を収納しており、端末装置３０を開いた状態でもヒンジ３３のうち露出する部分は連結アーム３４のみである。このため、第１の筺体３１の入力デバイス設置面の有効面積が大きく、従来よりも多くの入力デバイスを設置することができる。
【００６５】
また、本実施形態では、端末装置３０を閉じた状態ではヒンジ３３が露出せず、デザイン的に優れている。
【００６６】
以上の諸実施形態に関し、更に以下の付記を開示する。
【００６７】
（付記１）回転軸に回転可能に支持された連結アームと、
一方の面側の端部に前記連結アームを収納する溝部が設けられた第１の筺体と、
前記第１の筺体の前記一方の面に対向する面側にスライドレールを備え、前記スライドレールに前記連結アームの先端部がスライド可能に接続される第２の筺体と
を有することを特徴とする端末装置。
【００６８】
（付記２）前記第１の筺体と前記第２の筺体とを重ね合わせたときに前記溝部が前記第２の筺体に隠れ、前記第２の筺体を前記スライドレールの延びる方向にスライドさせると前記溝部が露出して、前記第２の筺体が前記回転軸を中心に回転可能となることを特徴とする付記１に記載の端末装置。
【００６９】
（付記３）前記第２の筺体は、少なくとも前記回転軸の中心から第１の筺体の端部側の外側面までの距離の２倍以上スライド可能であることを特徴とする付記２に記載の端末装置。
【００７０】
（付記４）更に、前記連結アームに回転力を付与するばねが設けられていることを特徴とする付記２又は３に記載の端末装置。
【００７１】
（付記５）更に、前記第２の筺体をスライドさせる方向に付勢するばねと、前記第２の筺体のスライドを阻止するロック機構とを有することを特徴とする付記４に記載の端末装置。
【００７２】
（付記６）前記連結アームが前記回転軸の両端にそれぞれ配置されていることを特徴とする付記１乃至５のいずれか１項に記載の端末装置。
【００７３】
（付記７）前記第１の筺体の前記一方の面側には入力デバイスが設置され、前記第２の筺体の前記第１の筺体に対向する面側には表示デバイスが設置されていることを特徴とする付記１乃至６のいずれか１項に記載の端末装置。
【００７４】
（付記８）回転軸に回転可能に支持された連結アームと、
一方の面側の端部に前記連結アームを収納する溝部が設けられた第１の筺体と、
前記連結アームの先端部が接続された第２の筺体とを有し、
前記連結アームは前記回転軸に接続される基部と、前記基部から導出する導出部と、前記導出部から前記第２の筺体に向けて延びるアーム部とを有し、
前記第１の筐体の前記端部側の外側面が、前記回転軸を中心とし、該中心から前記連結アームの前記導出部と前記アーム部との接続部までを半径とする円の内側に位置し、前記第２の筺体が前記円の外側に位置することを特徴とする端末装置。
【００７５】
（付記９）更に、前記連結アームに回転力を付与するばねと、前記連結アームの回転を阻止するロック機構とを有することを特徴とする付記８に記載の端末装置。
【００７６】
（付記１０）前記連結アームが前記回転軸の両端にそれぞれ配置されていることを特徴とする付記８又は９に記載の端末装置。
【符号の説明】
【００７７】
１，３１…第１の筺体、１ａ，３１ａ…入力デバイス、２，３２…第２の筺体、２ａ，３２ａ…表示デバイス、３，２３，３３…ヒンジ、４…連結アーム、４ａ…基部、４ｂ…アーム部、４ｃ…ガイド部、５，３５…回転軸、５ａ，３５ａ…軸受け部、６，３６…ねじりコイルばね、７，３８…圧縮コイルばね、１０，１０ａ，２０，３０…端末装置、１１，４１…溝部、１４…孔、１５…係止部材、１６…ロックボール、１７，２１…スライド溝、２４…ロック爪、３４…連結アーム、３４ａ…基部、３４ｂ…導出部、３４ｃ…アーム部、３４ｄ…接続部、３５ｃ…切り欠き。
【図１】
2012182771.tif 000003
【図２】
2012182771.tif 000004
【図３】
2012182771.tif 000005
【図４】
2012182771.tif 000006
【図５】
2012182771.tif 000007
【図６】
2012182771.tif 000008
【図７】
2012182771.tif 000009
【図８】
2012182771.tif 000010
【図９】
2012182771.tif 000011
【図１０】
2012182771.tif 000012
【図１１】
2012182771.tif 000013
【図１２】
2012182771.tif 000014
【図１３】
2012182771.tif 000015